(57)【要約】【課題】錠部分を含む全体の構造を簡単にすると共に、変更取付を容易に行えるようにした天井点検口を提供すること。【解決手段】方形状の外枠１０と、外枠内に開閉可能に設けられる内枠２０とを具備する天井点検口において、内枠は、該内枠の開放端側の内枠部材２１の略中央部に装着され、外方に向かって突出する水平方向に移動可能な係止凸部３１を有する係止用錠部材３０と、内枠部材に隣接する両側の内枠部材の基端側に設けられるねじ受け部４０に螺挿され、内方から外方に向かって出没可能に設けられる一対の回転軸５０とを具備し、外枠は、該外枠を構成する各外枠部材１１の略中央部に着脱可能に装着され、係止用錠部材の係止凸部が係脱可能に載置する係止面６１を有する係止部材６０と、各外枠部材の隣接側部位に設けられ、回転軸を摺動及び回動自在に枢支する長孔状軸受け７０とを具備する。【選択図】図１
2014012963.tif 000002
【特許請求の範囲】
【請求項１】
方形状の外枠と、上記外枠内に開閉可能に設けられる内枠とを具備し、天井に形成された開口に取り付けて用いられる天井点検口であって、
上記内枠は、該内枠の開放端側の内枠部材の略中央部に装着され、外方に向かって突出する水平方向に移動可能な係止凸部を有する係止用錠部材と、上記内枠部材に隣接する両側の内枠部材の基端側に設けられるねじ受け部に螺挿され、内方から外方に向かって出没可能に設けられる一対の回転軸とを具備し、
上記外枠は、該外枠を構成する各外枠部材の略中央部に着脱可能に装着され、上記係止用錠部材の係止凸部が係脱可能に載置する係止面を有する係止部材と、上記各外枠部材の隣接側部位に設けられ、上記回転軸を摺動及び回動自在に枢支する長孔状軸受けとを具備する、
ことを特徴とする天井点検口。
【請求項２】
請求項１記載の天井点検口において、
上記長孔状軸受けは、上記外枠部材の端部側から内方側に向かって下り勾配に形成され、上記係止部材は、上記係止面を有する突出部の下面が上記外枠側から内方に向かって上り勾配に形成されている、ことを特徴とする天井点検口。
【請求項３】
請求項１又は２に記載の天井点検口において、
上記内枠を構成する内枠部材は、上記外枠部材の上部との間に空間をおいて対向する上部起立片と、上記外枠部材の下部との間に僅かな隙間をおいて対向する下部垂下片と、上部起立片の下端と下部垂下片の上端とを連結する水平片とからなる断面略クランク状に形成され、上記上部起立片と上記外枠部材の上部との間の空間内に、上記係止部材と係止用錠部材の係止凸部が位置すると共に、上記回転軸を螺挿するねじ受け部が位置する、ことを特徴とする天井点検口。
【請求項４】
請求項１ないし３のいずれかに記載の天井点検口において、
上記各外枠部材の略中央部に、略矩形状の係合孔と、該係合孔の下方に位置する位置決め孔とを設け、上記係止部材は、上記係止面の一辺から起立して上記係合孔の上辺外面に当接する係止片と、上記係合孔の両側辺に係脱可能に係合する弾性変形可能な一対の係止爪と、上記位置決め孔内に嵌合する位置決め突起とを具備する、ことを特徴とする天井点検口。
【請求項５】
請求項３記載の天井点検口において、
上記内枠の開放端側の内枠部材は、上部起立片の上端から外方に受かって延在する上部水平片と、該上部水平片の先端から垂下する垂下片と、上記水平片における上記上部起立片側に長手通しに起立する凸条ガイド部と、上記上部水平片と垂下片の中央部から偏倚した位置に設けられる切欠き部と、上記下部垂下片の下端から外方に向かって突出する下部ガイド部とを具備し、上記係止用錠部材は、上記切欠き部を介して上記上部起立片、下部垂下片及び水平片に沿って摺動可能に取り付けられる断面略クランク状の基部と、上記基部の上部起立片の外面に突出する係止凸部と、上記凸条ガイド部に摺動自在に嵌合する凹条部と、上記下部ガイド部に摺動自在に係合する下部摺動部と、上記下部摺動部より下方に延在して下部垂下片と上記外枠部材の下部との間の隙間を貫通して下方に突出する突出端に設けられる操作用摘みとを具備し、更に、上記内枠部材の上部起立片の外側面の長手方向の２箇所に、上記係止用錠部材の施錠位置と解錠位置を規制する位置規制用突起を突設する、ことを特徴とする天井点検口。
【請求項６】
請求項１ないし３のいずれかに記載の天井点検口において、
上記係止用錠部材は、上記内枠の開放端側の内枠部材の内方側に回動自在に装着され、下面に鍵操作部を有する操作軸と、該操作軸の上面に直交状に突設される上記係止凸部とを具備し、上記係止凸部は、上記内枠部材に設けられたスリットを介して内枠部材の外方に出没可能に形成される、ことを特徴とする天井点検口。
【請求項７】
請求項１又は２に記載の天井点検口において、
上記長孔状軸受けは、上記外枠部材の一部を内方側に屈曲した屈曲部に設けられている、ことを特徴とする天井点検口。
【発明の詳細な説明】
【技術分野】
【０００１】
この発明は、天井点検口に関するもので、更に詳細には、天井に形成された開口に取り付けられる方形状の外枠と、該外枠内に開閉可能に設けられる内枠とを具備する天井点検口に関するものである。
【背景技術】
【０００２】
一般に、天井裏の配線や配管等のメンテナンスのために、天井点検口が設けられている。この天井点検口は、天井に形成された開口に取り付けられた方形状の外枠に対して、外周に内枠を有する天井蓋を開放すると、天井蓋は水平状態から垂直方向に９０度以上回動するため、壁面付近に設置される天井点検口において開閉軸側の吊元が壁面側となるように施工されていると、開放された天井蓋が壁面に衝突する懸念がある。
【０００３】
また、天井面の模様替え等によりパーティション等が点検口付近に位置する場合においても、天井蓋を開放すると、上記と同様に開放された天井蓋がパーティション等に衝突する懸念がある。
【０００４】
このような問題を解決する手段として、施工後に吊元を変更可能とした天井点検口が提案されている。例えば、方形状の外枠の各辺の内面の両端部に辺中央側に入口を有する軸受け溝を形成すると共に、内枠の対向する２辺の端部に軸ピンを突出形成し、該軸ピンを軸受け溝に挿入し軸支することで内枠を任意の方向に開閉可能に取り付ける天井点検口が知られている(例えば、特許文献１参照)。
【０００５】
また、別の構造のものとして、内枠を有する点検口扉の一辺側にクレモナ錠を装置し、その両側のシャフトを案内するシャフト穴を構成すると共に、上記一辺と対向する辺側に回転軸を支持する回転軸穴を構成し、点検口枠（外枠）に、上記シャフト穴と回転軸穴にそれぞれ対応する共通穴を構成することで、点検口扉を１８０度、９０度旋回した状態で変更可能な天井点検口が知られている（例えば、特許文献２参照）。
【先行技術文献】
【特許文献】
【０００６】
【特許文献１】特許第３９０９０６８号公報（特許請求の範囲、図２，図４，図６）
【特許文献２】特開平９−３０２９１０号公報（特許請求の範囲、図１，図５）
【発明の概要】
【発明が解決しようとする課題】
【０００７】
しかしながら、特許文献１に記載のものにおいては、外枠に設けられた入口を有する軸受け溝に、内枠に突出形成された軸ピンを挿入し軸支する構造であるため、軸ピンが軸受け溝から外れるのを防止する必要がある。そのため、特許文献１記載のものにおいては、上記軸受け溝の下辺を上辺よりも中央側に向かって長く形成すると共に、下辺の末端に停止部を突出形成し、更に停止部から辺中央側に向かって軸ピンを支持することができる受辺部を設けると共に、受辺部の末端に第二停止部を突出形成している。また、特許文献１記載のものにおいては、内枠を外枠に取り付ける際に軸ピンが邪魔になるのを防止するために、軸ピンを、その軸線方向に摺動可能にし、コイルばねによって外側に向かって付勢する構造としている。また、特許文献１に記載の天井点検口においては、内枠には、垂直方向の軸を回すことで回転してロック及びロック解除する公知の掛金が設けられているが、掛金と係合する係止部の構造については言及されていない。
【０００８】
したがって、特許文献１に記載のものにおいては、構造が複雑な上、取付が面倒であり、しかも、外枠と内枠との隙間を狭くした目地タイプの天井点検口には不向きであるという懸念がある。
【０００９】
一方、特許文献２に記載のものにおいては、目地タイプの天井点検口には適用可能であるが、内枠を有する点検口扉の一辺にクレモナ錠を取り付け、点検口枠（外枠）に、クレモナ錠のシャフト穴と、点検口扉の対向辺に設けられた回転軸を支持する回転軸穴にそれぞれ対応する共通穴を設ける構造である。
【００１０】
したがって、特許文献２に記載のものは、特に錠部分の構造が複雑な上、回転軸と共通穴の位置合わせ及びクレモナ錠のシャフトと共通穴との位置合わせが面倒であるため、取付が面倒であるという懸念がある。
【００１１】
この発明は、上記事情に鑑みてなされたもので、錠部分を含む全体の構造を簡単にすると共に、施工後の変更取付を容易に行えるようにした天井点検口を提供することを目的とする。
【課題を解決するための手段】
【００１２】
上記課題を解決するため、この発明に係る天井点検口は、方形状の外枠と、上記外枠内に開閉可能に設けられる内枠とを具備し、天井に形成された開口に取り付けて用いられる天井点検口であって、  上記内枠は、該内枠の開放端側の内枠部材の略中央部に装着され、外方に向かって突出する水平方向に移動可能な係止凸部を有する係止用錠部材と、上記内枠部材に隣接する両側の内枠部材の基端側に設けられるねじ受け部に螺挿され、内方から外方に向かって出没可能に設けられる一対の回転軸とを具備し、  上記外枠は、該外枠を構成する各外枠部材の略中央部に着脱可能に装着され、上記係止用錠部材の係止凸部が係脱可能に載置する係止面を有する係止部材と、上記各外枠部材の隣接側部位に設けられ、上記回転軸を摺動及び回動自在に枢支する長孔状軸受けとを具備する、ことを特徴とする（請求項１）。
【００１３】
このように構成することにより、施工後に内枠の開閉軸部の吊元を変更する場合には、回転軸を内枠の内方側に移動して回転軸と長孔状軸受けとの係合を解除して内枠を外枠から取り外し、係止部材を外枠部材から取り外した後、変更する吊元側の外枠の内方に回転軸を具備する内枠部材を位置し、回転軸を外方側に移動して長孔状軸受けに係合（摺動及び回動自在に枢支）させ、係止部材を内枠の開放端側の外枠部材に装着して内枠の開閉軸部の吊元を外枠の４辺の任意の箇所に変更することができる。
【００１４】
請求項１記載の天井点検口において、上記長孔状軸受けは、上記外枠部材の端部側から内方側に向かって下り勾配に形成され、上記係止部材は、上記係止面を有する突出部の下面が上記外枠側から内方に向かって上り勾配に形成されているのが好ましい（請求項２）。
【００１５】
このように構成することにより、内枠を開放する際に回転軸は長孔状軸受けの傾斜上方側から下方側へ移動しつつ回動して内枠を開放し、内枠を閉止する際には、回転軸は長孔状軸受けの傾斜下方側から上方側へ移動しつつ回動して内枠を閉止するので、内枠の開閉を円滑に行うことができる。また、係止部材の係止面を有する突出部の下面を外枠側から内方に向かって上り勾配に形成することにより、内枠の閉止時に内枠の上端部が係止部材に干渉するのを防止することができる。
【００１６】
請求項１又は２に記載の天井点検口において、上記内枠を構成する内枠部材を、上記外枠部材の上部との間に空間をおいて対向する上部起立片と、上記外枠部材の下部との間に僅かな隙間をおいて対向する下部垂下片と、上部起立片の下端と下部垂下片の上端とを連結する水平片とからなる断面略クランク状に形成し、上記上部起立片と上記外枠部材の上部との間の空間内に、上記係止部材と係止用錠部材の係止凸部を位置させると共に、上記回転軸を螺挿するねじ受け部を位置させるのが好ましい（請求項３）。
【００１７】
このように構成することにより、外枠と内枠との間に形成された空間内に、係止部材と係止用錠部材の係止凸部を位置させると共に、回転軸を螺挿するねじ受け部を位置させることができるので、外枠を構成する各外枠材に係止部材を着脱可能に装着することができ、錠部分を容易に確保することができると共に、回転軸を支持するねじ受け部の収容スペースを確保することができる。
【００１８】
また、請求項１ないし３のいずれかに記載の天井点検口において、上記各外枠部材の略中央部に、略矩形状の係合孔と、該係合孔の下方に位置する位置決め孔とを設け、上記係止部材は、上記係止面の一辺から起立して上記係合孔の上辺外面に当接する係止片と、上記係合孔の両側辺に係脱可能に係合する弾性変形可能な一対の係止爪と、上記位置決め孔内に嵌合する位置決め突起とを具備するのが好ましい（請求項４）。
【００１９】
このように構成することにより、係止片を係合孔内に挿入し、一対の係止爪を弾発力に抗して弾性変形した状態で係合孔内に挿入すると共に、位置決め突起を位置決め孔に嵌挿した後に係止爪の弾性変形を解除して復元することで、係止片を係合孔の上辺外面に当接し、係止爪を係合孔に弾発力によるスナップ係合させた状態で係止部材を各外枠部材の中央部の所定位置に装着することができる。また、係止部材を外枠部材から取り外す場合は、係止爪を弾発力に抗して弾性変形した状態で係合孔との係合を解除して、取り外すことができる。
【００２０】
また、請求項３記載の天井点検口において、上記内枠の開放端側の内枠部材は、上部起立片の上端から外方に向かって延在する上部水平片と、該上部水平片の先端から垂下する垂下片と、上記水平片における上記上部起立片側に長手通しに起立する凸条ガイド部と、上記上部水平片と垂下片の中央部から偏倚した位置に設けられる切欠き部と、上記下部垂下片の下端から外方に向かって突出する下部ガイド部とを具備し、上記係止用錠部材は、上記切欠き部を介して上記上部起立片、下部垂下片及び水平片に沿って摺動可能に取り付けられる断面略クランク状の基部と、上記基部の上部起立片の外面に突出する係止凸部と、上記凸条ガイド部に摺動自在に嵌合する凹条部と、上記下部ガイド部に摺動自在に係合する下部摺動部と、上記下部摺動部より下方に延在して下部垂下片と上記外枠部材の下部との間の隙間を貫通して下方に突出する突出端に設けられる操作用摘みとを具備し、更に、上記内枠部材の上部起立片の外側面の長手方向の２箇所に、上記係止用錠部材の施錠位置と解錠位置を規制する位置規制用突起を突設するのが好ましい(請求項５)。
【００２１】
このように構成することにより、係止用錠部材を内枠部材に容易に装着することができると共に、操作用摘みを操作して係止用錠部材をスライドさせることにより内枠の施錠と解錠を行うことができる。
【００２２】
また、請求項１ないし３のいずれかに記載の天井点検口において、上記係止用錠部材は、上記内枠の開放端側の内枠部材の内方側に回動自在に装着され、下面に鍵操作部を有する操作軸と、該操作軸の上面に直交状に突設される上記係止凸部とを具備し、上記係止凸部は、上記内枠部材に設けられたスリットを介して内枠部材の外方に出没可能に形成してもよい（請求項６）。
【００２３】
このように構成することにより、鍵を用いて鍵操作部を操作して係止凸部を水平方向に回動させることにより内枠の施錠と解錠を行うことができる。
【００２４】
また、請求項１又は２に記載の天井点検口において、上記長孔状軸受けは、上記外枠部材の一部を内方側に屈曲した屈曲部に設けられているのが好ましい（請求項７）。
【００２５】
このように構成することにより、長孔状軸受けに摺動及び回動自在に枢支される回転軸の先端部を屈曲部内に位置させることができるので、回転軸の先端部が外枠部材の外側に突出するのを防止することができる。
【発明の効果】
【００２６】
この発明によれば、上記のように構成されているので、以下のような効果が得られる。
【００２７】
（１）請求項１記載の発明によれば、錠部分を含む全体の構造を簡単にすると共に、施工後の内枠の変更取付を容易にすることができる。
【００２８】
（２）請求項２記載の発明によれば、上記（１）に加えて、更に内枠の開閉を円滑に行うことができると共に、内枠の閉止時に内枠の上端部が係止部材に干渉するのを防止することができる。
【００２９】
（３）請求項３記載の発明によれば、上記（１），（２）に加えて、更に外枠と内枠の間に錠部分を容易に確保することができると共に、回転軸を支持するねじ受け部の収容スペースを確保することができるので、外枠の下端部と内枠の下端部が細い目地タイプの天井点検口においても、係止用錠部材の係止凸部と係止部材とから構成される錠部分を容易に組み込むことができる。
【００３０】
（４）請求項４記載の発明によれば、係止片を係合孔の上辺外面に当接し、係止爪を係合孔に弾発力によるスナップ係合させた状態で係止部材を外枠部材に装着することができるので、上記（１）〜（３）に加えて、更に外枠部材に対する係止部材の着脱を容易にすることができると共に、装着を確実にすることができる。
【００３１】
（５）請求項５記載の発明によれば、係止用錠部材を内枠部材に容易に装着することができると共に、操作用摘みを操作して係止用錠部材をスライドさせることにより内枠の施錠と解錠を行うことができる。
【００３２】
（６）請求項６記載の発明によれば、鍵を用いて鍵操作部を操作して係止凸部を水平方向に移動させることにより内枠の施錠と解錠を行うことができる。
【００３３】
（７）請求項７記載の発明によれば、長孔状軸受けに摺動及び回動自在に枢支される回転軸の先端部を屈曲部内に位置させることができ、回転軸の先端部が外枠部材の外側に突出するのを防止することができるので、上記（１）〜（６）に加えて、更に外枠と内枠間の隙間を広げることなく、回転軸の枢支部の強度を確保することができる。
【図面の簡単な説明】
【００３４】
【図１】この発明に係る天井点検口の閉止状態を示す断面図である。
【図２】この発明に係る天井点検口の開閉状態を示す断面図である。
【図３】この発明に係る天井点検口の要部を示す平面図である。
【図４】図３のI−I線に沿う断面図（ａ）及び図３のII−II線に沿う断面図（ｂ）である。
【図５】図３のIII−III線に沿う断面図である。
【図６】この発明における回転軸と軸受けを示す分解断面図である。
【図７】この発明における外枠の分解斜視図である。
【図８】この発明における係止部材の斜視図（ａ）、係止部材の取付前の状態を示す斜視図（ｂ）、取付状態を示す斜視図（ｃ）及び取付後の状態を示す斜視図（ｄ）である。
【図９】この発明における係止用錠部材の取付状態を示す斜視図である。
【図１０】上記係止用錠部材の施錠状態を示す斜視図（ａ）及び解錠状態を示す斜視図（ｂ）である。
【図１１】内枠の取付位置を変更する手順を示す斜視図である。
【図１２】この発明に係る第２実施形態の天井点検口を示す要部平面図である。
【図１３】第２実施形態の天井点検口の断面図である。
【発明を実施するための形態】
【００３５】
以下に、この発明に係る天井点検口の実施形態を添付図面に基づいて詳細に説明する。ここでは、この発明に係る天井点検口を目地タイプの天井点検口に適用した場合について説明する。
【００３６】
＜第１実施形態＞
上記天井点検口１は、図１ないし図３に示すように、天井２に形成された方形状の開口２ａ内に取り付けられる方形状の外枠１０と、外枠１０内に開閉可能に設けられ、積層された天井下地材４と天井仕上げ材３の外周に取り付けられる方形状に形成される内枠２０とを具備している。
【００３７】
内枠２０は、該内枠２０の開放端側の内枠部材２１の略中央部に着脱可能に装着され、外方に向かって突出する水平方向に移動可能な係止凸部３１を有する係止用錠部材３０と、内枠部材２１に隣接する両側の内枠部材２１の基端側に設けられるねじ受け部４０に螺挿され、内方から外方に向かって出没可能に設けられる一対の回転軸５０とを具備している。
【００３８】
外枠１０は、該外枠１０を構成する各外枠部材１１の略中央部に着脱可能に装着され、係止用錠部材３０の係止凸部３１が係脱可能に載置する係止面６１を有する係止部材６０と、各外枠部材１１の隣接側部位に設けられ、回転軸５０を摺動及び回動自在に枢支する長孔状軸受け７０とを具備している。
【００３９】
この場合、内枠２０を構成する内枠部材２１は、外枠部材１１の上部の垂直片１１ａ（以下に上部垂直片１１ａという）との間に空間８０をおいて対向する上部起立片２２と、外枠部材１１の下部の垂直片１１ｂ（以下に下部垂直片１１ｂという）との間に僅かな隙間Ｓをおいて対向する下部垂下片２３と、上部起立片２２の下端と下部垂下片２３の上端とを連結する水平片２４とからなる断面略クランク状に形成されている。また、内枠部材２１は、上部起立片２２の上端から外方に向かって延在する上部水平片２５と、該上部水平片２５の先端から垂下する垂下片２６と、水平片２４における上部起立片側に長手通しに起立する凸条ガイド部２７と、上部水平片２５と垂下片２６の中央部から偏倚した位置に設けられる切欠き部２８と、下部垂下片２３の下端から外方に向かって突出する下部ガイド部２９とを具備している。
【００４０】
また、内枠２０の開放端側の内枠部材２１の下部垂下片２３の長手方向の両端側には外側に向かってコ字状に切り起こされた位置規制用突起部２１ａが設けられている（図３参照）。この位置規制用突起部２１ａは、内枠２０の閉止時に後述する外枠部材１１の開口側垂直面に設けられた水平段部１１ｃの下面に係合して、内枠２０の上方への移動が規制されている。
【００４１】
更に、開放端側の内枠部材２１に隣接する内枠部材２１の下部垂下片２３における枢支部側と開放端側の間の任意の２箇所には外側に向かって半円弧状に切り起こされるズレ規制用突起部２１ｂが設けられている（図３及び図４（ｂ）参照）。このズレ規制用突起部２１ｂは、内枠２０の閉止時に後述する外枠部材１１の下部垂直片１１ｂの開口側面に当接して、内枠２０の開閉方向と直交する横方向のズレを規制している。
【００４２】
このように形成される内枠部材２１はアルミニウム製押出形材にて形成されている。また、内枠部材２１の端部同士は図示しないコーナー部材によって連結されており、下部垂下片２３の内側には天井仕上げ材３が配置され、上部起立片２２の内側には天井下地材４が配置され、天井下地材４の上面は、各内枠部材２１の上部起立片２２の内面に固定ねじ５によって固定されるアングル状の押さえ部材６によって固定されている。
【００４３】
また、内枠部材２１に装着される係止用錠部材３０は、図９に示すように、切欠き部２８を介して上部起立片２２、下部垂下片２３及び水平片２４に沿って摺動可能に取り付けられる断面略クランク状の基部３２と、基部３２の上部起立片２２の外面に突出する係止凸部３１と、凸条ガイド部２７に摺動自在に嵌合する凹条部３３と、下部ガイド部２９に摺動自在に係合する下部摺動部３４と、下部摺動部３４より下方に延在して下部垂下片２３と外枠部材１１の下部垂直片１１ｂとの間の隙間Ｓを貫通して下方に突出する突出端に設けられる操作用摘み３５と、基部３２の両側に延在する翼片３６とを具備している。
【００４４】
このように形成される係止用錠部材３０は、内枠部材２１に形成された切欠き部２８を介して内枠部材２１の外側面に落とし込まれ、上述したように上部起立片２２、下部垂下片２３及び水平片２４に沿って摺動可能に取り付けられた後、内枠部材２１の中央部側へ移動されてセットされる。この際、内枠部材２１の上部起立片２２の中央部の両側の２箇所に突設された中央部側が隆起した一対の楔状の位置規制用突起２１ｃの一方を乗り越えて内枠部材２１の中央部にスライド可能に位置する。また、内枠部材２１の上部起立片２２における両位置規制用突起２１ｃより外側には、一対の半球状の補助位置規制用突起２１ｄが突設されており、補助位置規制用突起２１ｄが係止用錠部材３０の翼片３６の裏面に設けられた凹所（図示せず）に係合することで、係止用錠部材３０の係止凸部３１と係止部材６０の係脱状態すなわち施錠状態と解錠状態が確認できるように構成されている。なお、上記係止用錠部材３０は、工場において予め内枠２０の開放端側の内枠部材２１に組み付けられている。
【００４５】
また、図５及び図６に示すように、内枠２０の開放端側の内枠部材２１と隣接する両内枠部材２１の上部起立片２２には貫通孔２２ａが設けられており、この貫通孔２２ａにねじ受け部であるナット４０が嵌挿固定されている。このナット４０に螺挿され、内方から外方に向かって出没可能に設けられる回転軸５０は、図５及び図６に示すように、ナット４０に螺合されるねじ軸５１の先端に小径軸５２を有し、ねじ軸５１の基端部にプラス溝５３を有する頭部５４を有する段付き軸部材にて形成されている。このように形成される回転軸５０は内枠２０の内方側からナット４０に螺合されて出没可能になっており、回転軸５０を時計方向に回して突出した状態で先端の小径軸５２が長孔状軸受け７０に摺動及び回動自在に枢支され、反時計方向に回転して後退した状態で長孔状軸受け７０との係合が解除される。
【００４６】
一方、外枠１０を構成する外枠部材１１は、図４ないし図７に示すように、断面形状において上部垂直片１１ａと下部垂直片１１ｂとの間に水平段部１１ｃが形成されている。また、外枠部材１１の中央部には、略矩形状の係合孔１３と、該係合孔１３の下方に位置する２個の位置決め孔１４が設けられている。これら係合孔１３と位置決め孔１４に係止部材６０が着脱可能に装着されるようになっている。更に、外枠部材１１の隣接側部位に内方側に屈曲した略矩形状の屈曲部１５が設けられており、この屈曲部１５に回転軸５０を摺動及び回動自在に枢支する長孔状軸受け７０が設けられている。この場合、長孔状軸受け７０は、外枠部材１１の端部側から内方側に向かって下り勾配に形成されている。
【００４７】
上記のように形成される外枠部材１１はアルミニウム製押出形材にて形成されている。また、各外枠部材１１の隣接同士はアングル状のコーナー部材１２を介して直交状に連結されている（図７参照）。
【００４８】
上記係止部材６０は、図８（ａ），（ｂ）に示すように、上端に係止面６１を有する突出部６２と、係止面６１の一辺から起立する係止片６３と、突出部６２の両側から係止片６３側に突出する弾性変形可能な一対の係止爪６４と、突出部６２の係止片６３の下方側に突設される２個の位置決め突起６５とを具備する。また、係止部材６０の突出部６２の下面６２ａは、外枠１０側から内方に向かって上り勾配に形成されている。換言すると、係止部材６０の突出部６２の下面６２ａは、外枠１０側に位置する係止片６３側から係止片６３と対向する辺側に向かって上り勾配に形成されている。
【００４９】
上記のように形成される係止部材６０を外枠部材１１に取り付けるには、図８（ｃ）に示すように、係止部材６０を傾けて係止片６３を係合孔１３内に挿入し、指で摘まんで両係止爪６４を弾発力に抗して弾性変形（圧縮変形）した状態で係合孔１３内に挿入すると共に、位置決め突起６５を位置決め孔１４に嵌挿する。その後、係止爪６４の弾性変形（圧縮変形）を解除して復元することで、図８（ｄ）に示すように、係止片６３を係合孔１３の上辺外面に当接し、係止爪６４を係合孔１３に弾発力によるスナップ係合させた状態で係止部材６０を外枠部材１１の中央部の所定の位置に装着することができる。また、係止部材６０を外枠部材１１から取り外す場合は、係止爪６４を弾発力に抗して弾性変形（圧縮変形）した状態で係合孔１３との係合を解除して、取り外すことができる。
【００５０】
次に、天井点検口１の施工後に、内枠２０の開閉軸部の吊元を変更する場合について、図１，図２，図５，図８及び図１１を参照して説明する。まず、図１に示すように、施工された天井点検口１の閉止状態の内枠２０の開放端側を持って内枠２０を開放する（図２，図１１（ａ）参照）。内枠２０を開放する際には、図２に示すように、自重によって回転軸５０が長孔状軸受け７０の傾斜上方側から下方側へ移動しつつ回動するので、内枠２０を円滑に開放することができる。内枠２０を開放した状態で、回転軸５０内枠２０のねじ受け部４０に螺挿されている回転軸５０を内枠２０の内方側に移動して回転軸５０と長孔状軸受け７０との係合を解除する。このとき、回転軸５０はねじ受け部４０に螺合された状態にしておく（図５の二点鎖線参照）。このようにして回転軸５０と長孔状軸受け７０との係合を解除した状態で、内枠２０を外枠１０から取り外し（図１１（ｂ）参照）、また、係止部材６０を外枠部材１１から取り外す。次に、変更する吊元側の外枠１０の内方に回転軸５０を具備する内枠部材２１を挿入して配置し、回転軸５０を外方側に移動して長孔状軸受け７０に係合（摺動及び回動自在に枢支）させ（図５参照）、図８に示すように、係止部材６０を内枠２０の開放端側の外枠部材１１に装着して内枠２０の開閉軸部の吊元を外枠１０の４辺の任意の箇所に変更することができる。
【００５１】
なお、内枠２０を閉止する際には、図２に示すように、回転軸５０は長孔状軸受け７０の傾斜下方側から上方側へ移動しつつ回動して内枠２０を閉止するので、内枠２０の閉止を円滑に行うことができる。また、係止部材６０の係止面６１を有する突出部６２の下面を外枠側から内方に向かって上り勾配に形成することにより、内枠２０の閉止時に内枠２０の上端部が係止部材６０に干渉するのを防止することができる。
【００５２】
＜第２実施形態＞
上記第１実施形態では、係止用錠部材３０がスライドによって施錠・解錠を行う場合について説明したが、係止用錠部材を別の構造としてもよい。
【００５３】
例えば、図１２及び図１３に示すような鍵式の係止用錠部材３０Ａを用いてもよい。この場合、係止用錠部材３０Ａは、内枠２０の開放端側の内枠部材２１の内方側に固定されるブラケット９０に回動自在に装着され、下面に鍵操作部３７を有する操作軸３８と、該操作軸３８の上面に直交状に突設される係止凸部３１Ａとを具備する。なお、操作軸３８は天井下地材４及び天井仕上げ材３に設けられた切欠き部７を介して下面の鍵操作部３７が天井面に露呈している。なお、切欠き部７はブラケット９０及び下枠部材２１の下端部に掛け渡されるカバー材９１によって隠蔽されている。また、係止凸部３１Ａは、内枠部材２１に設けられたスリット２１ｅを介して内枠部材２１の外方に出没可能に形成されている。
【００５４】
上記のように構成される第２実施形態の天井点検口によれば、鍵１００を用いて鍵操作部３７を操作して係止凸部３１Ａを水平方向に回動させることにより内枠２０の施錠と解錠を行うことができる。
【００５５】
なお、第２実施形態において、その他の部分は第１実施形態と同じであるので、同一部分には同一符号を付して説明は省略する。
【００５６】
上記のように構成される本実施形態の天井点検口１によれば、方形状の外枠１０内に開閉可能に設けられる内枠２０の開放端側の内枠部材２１の略中央部に、外方に向かって突出する水平方向に移動可能な係止凸部３１，３１Ａを有する係止用錠部材３０，３０Ａを装着し、対向する両内枠部材２１の開閉基端側に、内方から外方に向かって出没可能に設けられる一対の回転軸５０を設け、外枠１０を構成する各外枠部材１１の略中央部に、係止部材６０を着脱可能に装着し、各外枠部材１１の隣接側部位に、回転軸５０を摺動及び回動自在に枢支する長孔状軸受け７０を設けるので、外枠１０を共通の外枠部材１１にて形成することができ、錠部分を含む全体の構造を簡単にすると共に、施工後の内枠２０の変更取付を容易にすることができる。
【００５７】
また、長孔状軸受け７０を、外枠部材１１の端部側から内方側に向かって下り勾配に形成し、係止部材６０における係止面６１を有する突出部６２の下面を外枠側から内方に向かって上り勾配に形成することにより、内枠２０の開閉を円滑に行うことができると共に、内枠２０の閉止時に内枠２０の上端部が係止部材６０に干渉するのを防止することができる。
【００５８】
また、外枠１０と内枠２０との間に形成された空間８０内に、係止部材６０と係止用錠部材３０，３０Ａの係止凸部３１，３１Ａを位置させると共に、回転軸５０を螺挿するねじ受け部４０を位置させることができるので、外枠１０を構成する各外枠部材１１に係止部材６０を着脱可能に装着することができ、錠部分を容易に確保することができると共に、回転軸５０を支持するねじ受け部の収容スペースを確保することができる。したがって、外枠１０の下端部と内枠２０の下端部が細い目地タイプの天井点検口においても、係止用錠部材３０，３０Ａの係止凸部３１，３１Ａと係止部材６０とから構成される錠部分を容易に組み込むことができる。
【００５９】
また、係止部材６０の係止片６３を外枠部材１１に設けられた係合孔１３の上辺外面に当接し、係止爪６４を係合孔１３に弾発力によるスナップ係合させた状態で係止部材６０を外枠部材１１に装着することができるので、外枠部材１１に対する係止部材６０の着脱を容易にすることができると共に、装着を確実にすることができる。
【００６０】
また、長孔状軸受け７０を、外枠部材１１の一部を内方側に屈曲した屈曲部１５に設けることにより、長孔状軸受け７０に摺動及び回動自在に枢支される回転軸５０の先端部を屈曲部１５内に位置させることができ、回転軸５０の先端部が外枠部材１１の外側に突出するのを防止することができるので、外枠１０と内枠２０間の隙間Ｓを広げることなく、回転軸５０の枢支部の強度を確保することができる。
【００６１】
更に、閉止状態において、外枠部材１１の開口側垂直面に形成された水平段部１１ｃの下面を、開放端側の内枠部材２１の外側面に設けられた位置規制用突起部２１ａに係合させることにより、内枠２０の上方への移動を規制することができるので、内枠２０の閉止状態を安定させることができる。
【符号の説明】
【００６２】
１  天井点検口
２  天井
２ａ  開口
１０  外枠
１１  外枠部材
１１ａ  上部垂直片
１１ｂ  下部垂直片
１１ｃ  水平段部
１３  係合孔
１４  位置決め孔
１５  屈曲部
２０  内枠
２１  内枠部材
２１ａ  位置規制用突起部
２１ｃ  位置規制用突起
２１ｅ  スリット
２２  上部起立片
２３  下部垂下片
２４  水平片
２５  上部水平片
２６  垂下片
２７  凸条ガイド部
２８  切欠き部
２９  下部ガイド部
３０，３０Ａ  係止用錠部材
３１，３１Ａ  係止凸部
３２  基部
３３  凹条部
３４  下部摺動部
３５  操作用摘み
３７  鍵操作部
３８  操作軸
４０  ナット（軸受け部）
５０  回転軸
５１  ねじ軸
５２  小径軸
６０  係止部材
６１  係止面
６２  突出部
６２ａ  下面
６３  係止片
６４  係止爪
６５  位置決め突起
７０  長孔状軸受け
８０  空間
Ｓ  隙間
【図１】
2014012963.tif 000003
【図２】
2014012963.tif 000004
【図３】
2014012963.tif 000005
【図４】
2014012963.tif 000006
【図５】
2014012963.tif 000007
【図６】
2014012963.tif 000008
【図７】
2014012963.tif 000009
【図８】
2014012963.tif 000010
【図９】
2014012963.tif 000011
【図１０】
2014012963.tif 000012
【図１１】
2014012963.tif 000013
【図１２】
2014012963.tif 000014
【図１３】
2014012963.tif 000015